(57)【要約】【課題】用紙の先後端が転写ニップを通る際のニップ圧を一時的に減圧する機能を備えつつ小型化を図ることのできる二次転写装置を提供する。【解決手段】二次転写装置３０は、二次転写ローラ４１を、対向ローラ２８との間に中間転写ベルト２１を挟んで押圧する押圧位置と中間転写ベルトから離隔された離隔位置とに変位させる圧着解除部５０と、押圧位置にされた二次転写ローラによるニップ圧を、用紙の先後端が通る際に一時的に減圧する高速減圧部７０とを備え、圧着解除部５０は圧着カム５４とこれに当接して揺動することで二次転写ローラ４１を押圧位置と離隔位置に変位させる圧着アーム５５を有し、高速減圧部７０は減圧カム７４とこれに当接して揺動することで二次転写ローラ４１をニップ圧が弱まる方向へ変位させる減圧アーム７５を有し、減圧カム７４は圧着アーム５５の回転支点５５ｂを中心とし圧着カム５４の軸中心までを半径とする円内に配置する。【選択図】図２
2020194025.tif 000002
【特許請求の範囲】
【請求項１】
複数のローラに巻き掛けられて周回する無端環状で所定幅の中間転写ベルトの外周面に一次転写されたトナー像を所定の二次転写位置で用紙に二次転写する二次転写装置であって、
前記二次転写位置で前記中間転写ベルトをその内周面に当接する対向ローラとの間に挟んで押圧する押圧位置と、前記中間転写ベルトの外周面から離隔された離隔位置とに二次転写ローラを変位させる圧着解除機構と、
前記圧着解除機構を駆動する第１駆動部と、
前記押圧位置にされた前記二次転写ローラが前記中間転写ベルトを前記対向ローラとの間に挟んで押圧するニップ圧を、用紙の先端および後端が前記二次転写ローラと前記中間転写ベルトの間を通る際に一時的に減圧する高速減圧機構と、
前記高速減圧機構を駆動する第２駆動部と、
を有し、
前記圧着解除機構は、前記二次転写ローラの軸と同方向であって前記第１駆動部によって駆動される回転軸に支持された圧着カムと、前記圧着カムに当接して揺動することで前記二次転写ローラを前記押圧位置と前記離隔位置に変位させる圧着アームを有し、
前記高速減圧機構は、前記二次転写ローラの軸と同方向であって前記第２駆動部によって駆動される回転軸に支持された減圧カムと、前記減圧カムに当接して揺動することで前記押圧位置にある前記二次転写ローラを前記ニップ圧が弱まる方向へ変位させる減圧アームを有し、
前記減圧カムの軸中心を、前記圧着アームの支点を中心とし前記圧着カムの軸中心までを半径とした円内に配置した
ことを特徴とする二次転写装置。
【請求項２】
前記圧着アームの支点と、前記減圧アームの支点を同軸で同一位置にする
ことを特徴とする請求項１に記載の二次転写装置。
【請求項３】
前記二次転写ローラは、二次転写ユニットに設けられ、
前記圧着解除機構および前記高速減圧機構を、前記二次転写ユニットと別体にした
ことを特徴とする請求項１または２に記載の二次転写装置。
【請求項４】
前記圧着アームは、バネと前記減圧アームをこの順に介して前記二次転写ユニットを押圧し、
前記高速減圧機構は、前記減圧アームで前記バネを前記圧着アーム側へ押し戻して前記減圧を行う
ことを特徴とする請求項３に記載の二次転写装置。
【請求項５】
前記圧着解除機構によって前記二次転写ローラが前記押圧位置にされた状態では、前記減圧カムが前記二次転写ユニットに当接せずに前記減圧する位置と減圧しない位置とに変位し得る可動域が確保され、
前記圧着解除機構によって前記二次転写ローラが前記離隔位置にされた状態では、前記減圧カムの可動域は確保されず、前記減圧カムは特定の角度位置でのみ前記二次転写ユニットに当接しない、
ことを特徴とする請求項３に記載の二次転写装置。
【請求項６】
前記圧着解除機構および前記高速減圧機構を、前記二次転写ユニットの下方に設けた
ことを特徴とする請求項３乃至５のいずれか１つに記載の二次転写装置。
【請求項７】
前記二次転写ユニットは回転中心を有して揺動し、
前記二次転写ユニットの回転中心と前記圧着カムの間に、前記減圧カムが配置されている
ことを特徴とする請求項３乃至５のいずれか１つに記載の二次転写装置。
【請求項８】
前記二次転写ユニットは回転中心を有して揺動し、
二次転写後の用紙を前記中間転写ベルトから分離する分離ローラの軸が前記二次転写ユニットの回転中心を兼ねる
ことを特徴とする請求項３乃至５のいずれか１つに記載の二次転写装置。
【請求項９】
前記二次転写ユニットの回転中心と前記二次転写ローラとの距離より、前記二次転写ユニットの回転中心と前記二次転写ユニットが前記圧着解除機構から押圧力を受ける箇所との距離が長い
ことを特徴とする請求項３乃至５のいずれか１つに記載の二次転写装置。
【請求項１０】
前記減圧アームに軸支された回転体に前記減圧カムが当接する
ことを特徴とする請求項１乃至９のいずれか１つに記載の二次転写装置。
【請求項１１】
前記圧着アームと前記圧着カムを、前記二次転写ローラの軸方向の両端に分かれた２箇所にそれぞれ設け、これらの内側に前記高速減圧機構を配置した
ことを特徴とする請求項１乃至１０のいずれか１つに記載の二次転写装置。
【請求項１２】
前記二次転写ローラの軸方向の両端に分かれた２箇所に前記減圧アームを設けると共に前記減圧アーム同士を連結部材で接続し、
前記減圧カムを、前記二次転写ローラの軸方向の中心部に配置し、
前記減圧カムに前記連結部材が当接して前記減圧アームが揺動する
ことを特徴とする請求項１１に記載の二次転写装置。
【請求項１３】
前記二次転写ローラの軸方向の両端に分かれた２箇所に前記減圧アームを設けると共に前記減圧アーム同士を連結部材で接続し、
前記圧着カムの内側近傍にそれぞれ前記減圧カムを配置し、
前記連結部材に各減圧カムが当接して前記減圧アームが揺動する
ことを特徴とする請求項１１に記載の二次転写装置。
【請求項１４】
前記二次転写ローラの軸方向の両端に分かれて設けられた２つの前記圧着カムの内側に、前記第２駆動部および前記減圧カムの角度位置を検出する位置検出手段を配置した
ことを特徴とする請求項１１に記載の二次転写装置。
【請求項１５】
前記圧着カムの回転軸はロック機構を解除すると軸方向への移動が可能となり、該移動により前記圧着カムと前記圧着アーム側の突き当て部材との係合が解除される、
ことを特徴とする請求項１乃至１４のいずれか１つに記載の二次転写装置。
【発明の詳細な説明】
【技術分野】
【０００１】
本発明は、中間転写ベルト上に一次転写されたトナー像を用紙に二次転写する二次転写装置に係り、特に、用紙の先後端が二次転写位置を通る際の衝撃を緩和することのできる二次転写装置に関する。
【背景技術】
【０００２】
多くの電子写真方式の画像形成装置では、複数のローラに巻き掛けられて周回する無端環状で所定幅の中間転写ベルトの外周面に沿って、それぞれ一の色成分のトナー像を形成するイエロ（Ｙ）、マゼンタ（Ｍ）、シアン（Ｃ）、ブラック（Ｋ）、等の色別の像形成ユニットを配列する構成が採られる。そして、これらの像形成ユニットによって各色のトナー像を中間転写ベルト上に順次重ね合わせることでフルカラーのカラートナー像を中間転写ベルト上に形成し、これを用紙に二次転写するようになっている。
【０００３】
二次転写位置では、中間転写ベルトを、その内側から支持するローラと、外側からバネ等に付勢されて押圧する二次転写ローラとの間に挟み込んで転写ニップを形成する。搬送されてきた用紙が転写ニップ（中間転写ベルトの外周面と二次転写ローラとの間）を通る際に中間転写ベルト上のトナー像が用紙に転写される。
【０００４】
転写ニップに厚紙の先端が進入するときや後端が抜け出るときには負荷が大きく変化するので、中間転写ベルトの周回速度が変動したり振動が発生したりして、画像にスジやムラが生じる場合がある。
【０００５】
この問題に対応するために、用紙の先端および後端が転写ニップを通る際にニップ圧を一時的に減圧することが行われる。たとえば、下記特許文献１に開示の装置では、中間転写ベルトを挟んで二次転写ローラと対向配置されたローラの軸の同軸上にカムを設け、該カムの凸部を、二次転写ローラの軸に設けた当接体に当接させることで、二次転写ローラとこれに対向するローラとの軸間距離を広げてニップ圧を一時的に減圧している。
【０００６】
また、下記特許文献２に開示された装置では、モータの駆動力を伝達機構で二次転写ローラに伝えて、二次転写ローラを中間転写ベルトに向けて押圧すると共に、このモータのトルクを制御することで、一時的な減圧を行っている。この装置の伝達機構は、略水平方向に長い第１レバーおよび第２レバーで構成され、第１レバーは一端が軸支され（支点）、中ほどで二次転写ローラを軸支し（作用点）、他端は第２レバーの先端に設けられたスライド穴（第２レバーの作用点）に軸支されている。第２レバーは中ほどよりやや先端寄りの位置が支点となって軸支され、他端はモータからの力を受ける力点となっている。
【０００７】
具体的には、第２レバーの他端は扇状に広がっており、ここにモータの軸に設けられたギアと噛み合う歯列が円弧状に列設されている。第１レバーと第２レバーはリンク機構となっており、モータの軸の回転角度に応じて第２レバーが揺動すると二次転写ローラが上下に変位するようになっている。モータを駆動して二次転写ローラを中間転写ベルトに押圧させて転写ニップを形成する。二次転写ローラが中間転写ベルトから押し戻される力とモータのトルクとが釣り合った状態で二次転写ローラは静止し、用紙の先後端が転写ニップを通るときにモータのトルクを一時的に弱めることでニップ圧を減圧するようになっている。
【先行技術文献】
【特許文献】
【０００８】
【特許文献１】特開２０１０−２０４２５９号公報
【特許文献２】特開２０１７−８３５０３号公報
【発明の概要】
【発明が解決しようとする課題】
【０００９】
特許文献１に開示の装置では、中間転写ベルトを挟んで二次転写ローラと対向するローラの軸の同軸上にカムやその駆動部を設けるので、二次転写ローラの軸長方向に装置構成が大きくなってしまう。
【００１０】
また、特許文献２に開示の装置では、圧着機構（第１レバー）の支点と作用点（二次転写ローラの位置）の外側に、減圧機構(第２レバー)の作用点が配置されており、二次転写ローラの軸に垂直な断面における装置面積が大きくなってしまう。
【００１１】
本発明は、上記の問題を解決しようとするものであり、用紙の先後端が転写ニップを通る際のニップ圧を一時的に減圧する機能を備えつつ小型化を図ることのできる二次転写装置を提供することを目的としている。
【課題を解決するための手段】
【００１２】
かかる目的を達成するための本発明の要旨とするところは、次の各項の発明に存する。
【００１３】
［１］複数のローラに巻き掛けられて周回する無端環状で所定幅の中間転写ベルトの外周面に一次転写されたトナー像を所定の二次転写位置で用紙に二次転写する二次転写装置であって、
前記二次転写位置で前記中間転写ベルトをその内周面に当接する対向ローラとの間に挟んで押圧する押圧位置と、前記中間転写ベルトの外周面から離隔された離隔位置とに二次転写ローラを変位させる圧着解除機構と、
前記圧着解除機構を駆動する第１駆動部と、
前記押圧位置にされた前記二次転写ローラが前記中間転写ベルトを前記対向ローラとの間に挟んで押圧するニップ圧を、用紙の先端および後端が前記二次転写ローラと前記中間転写ベルトの間を通る際に一時的に減圧する高速減圧機構と、
前記高速減圧機構を駆動する第２駆動部と、
を有し、
前記圧着解除機構は、前記二次転写ローラの軸と同方向であって前記第１駆動部によって駆動される回転軸に支持された圧着カムと、前記圧着カムに当接して揺動することで前記二次転写ローラを前記押圧位置と前記離隔位置に変位させる圧着アームを有し、
前記高速減圧機構は、前記二次転写ローラの軸と同方向であって前記第２駆動部によって駆動される回転軸に支持された減圧カムと、前記減圧カムに当接して揺動することで前記押圧位置にある前記二次転写ローラを前記ニップ圧が弱まる方向へ変位させる減圧アームを有し、
前記減圧カムの軸中心を、前記圧着アームの支点を中心とし前記圧着カムの軸中心までを半径とした円内に配置した
ことを特徴とする二次転写装置。
【００１４】
上記発明では、圧着アームの支点を中心とし圧着カムまでを半径とする円内に減圧カムを配置したので、装置の小型化を図ることができる。すなわち、圧着解除機構の配置スペース内に高速減圧機構を収めることができるので、高速減圧機構の追加による占有スペース増を抑制することができる。
【００１５】
［２］前記圧着アームの支点と、前記減圧アームの支点を同軸で同一位置にする
ことを特徴とする［１］に記載の二次転写装置。
【００１６】
上記発明では、支点を別とする場合に比して装置を小型化することができる。
【００１７】
［３］前記二次転写ローラは、二次転写ユニットに設けられ、
前記圧着解除機構および前記高速減圧機構を、前記二次転写ユニットと別体にした
ことを特徴とする［１］または［２］に記載の二次転写装置。
【００１８】
上記発明では、圧着解除機構や高速減圧機構に係る部材を二次転写ユニットに組み込む場合に比べて、二次転写ユニットの構成の複雑化を回避でき、装置構成を全体としてシンプルにすることができる。
【００１９】
［４］前記圧着アームは、バネと前記減圧アームをこの順に介して前記二次転写ユニットを押圧し、
前記高速減圧機構は、前記減圧アームで前記バネを前記圧着アーム側へ押し戻して前記減圧を行う
ことを特徴とする［３］に記載の二次転写装置。
【００２０】
上記発明では、仮に、圧着アームを解除位置に近づけて減圧する場合には、バネが伸びきる程度まで圧着アームを変位させる必要があるが、減圧アームでバネを押し戻す構成とすれば、圧着アームを押圧位置に維持したまま、減圧動作を行うことができるので、一時的な減圧動作を、減圧アームの少ないストロークで高速・円滑に行うことができる。
【００２１】
［５］前記圧着解除機構によって前記二次転写ローラが前記押圧位置にされた状態では、前記減圧カムが前記二次転写ユニットに当接せずに前記減圧する位置と減圧しない位置とに変位し得る可動域が確保され、
前記圧着解除機構によって前記二次転写ローラが前記離隔位置にされた状態では、前記減圧カムの可動域は確保されず、前記減圧カムは特定の角度位置でのみ前記二次転写ユニットに当接しない、
ことを特徴とする［３］に記載の二次転写装置。
【００２２】
上記発明では、圧着状態となる押圧位置では、二次転写ユニットと減圧カムの間に減圧カムの可動域（減圧する位置と減圧しない位置に変位し得るスペース）を確保するが、離隔位置では可動域を確保しないように構成することで、装置の小型化を図る。すなわち、減圧カムを回動させる必要の無い離隔位置においてまで可動域を確保すると、二次転写ユニットと減圧カムとの接触を避けるために余計なスペースが必要になるが、圧着時のみ減圧カムの可動域を確保し解除時は可動域を確保しない構成とすることで、装置の小型化を図る。
【００２３】
［６］  前記圧着解除機構および前記高速減圧機構を、前記二次転写ユニットの下方に設けた
ことを特徴とする［３］乃至［５］のいずれか１つに記載の二次転写装置。
【００２４】
上記発明では、二次転写装置の用紙搬送方向上流側にはレジスト機構が存在し、下流側には定着部が存在するが、圧着解除機構および高速減圧機構を二次転写ユニットの下方に設けることでこれらとスペース的に競合せず、装置の小型化につながる。
【００２５】
［７］前記二次転写ユニットは回転中心を有して揺動し、
前記二次転写ユニットの回転中心と前記圧着カムの間に、前記減圧カムが配置されている
ことを特徴とする［３］乃至［５］のいずれか１つに記載の二次転写装置。
【００２６】
上記発明では、圧着解除機構が二次転写ユニットを変位させるために必要となるスペース内（二次転写ユニットの回転中心と圧着カムの間）に減圧カムを配置することで、装置の小型化を図る。
【００２７】
［８］前記二次転写ユニットは回転中心を有して揺動し、
二次転写後の用紙を前記中間転写ベルトから分離する分離ローラの軸が前記二次転写ユニットの回転中心を兼ねる
ことを特徴とする［３］乃至［５］のいずれか１つに記載の二次転写装置。
【００２８】
上記発明では、二次転写ユニットの揺動・変位に依らず、分離ローラの位置が一定となるので、分離ローラからその下流側の搬送路への用紙の受け渡しが安定する。
【００２９】
［９］前記二次転写ユニットの回転中心と前記二次転写ローラとの距離より、前記二次転写ユニットの回転中心と前記二次転写ユニットが前記圧着解除機構から押圧力を受ける箇所との距離が長い
ことを特徴とする［３］乃至［５］のいずれか１つに記載の二次転写装置。
【００３０】
上記発明では、圧着解除機構の押圧力がレバー比で増大されて二次転写ユニットに作用するので、圧着解除機構や高速減圧機構に必要なトルクが小さくなり、モータ等の小型化、低コスト化を図ることができる。なお、［４］のように、圧着解除機構がバネを用いる構成の場合には、バネの力をレバー比に応じて弱くでき、高速減圧機構に必要な力量が小さくなる。
【００３１】
［１０］減圧アームに軸支された回転体に前記減圧カムが当接する
ことを特徴とする［１］乃至［９］のいずれか１つに記載の二次転写装置。
【００３２】
上記発明では、摩擦が軽減されて、減圧カムの寿命を延ばすことができる。
【００３３】
［１１］前記圧着アームと前記圧着カムを、前記二次転写ローラの軸方向の両端に分かれた２箇所にそれぞれ設け、これらの内側に前記高速減圧機構を配置した
ことを特徴とする［１］乃至［１０］のいずれか１つに記載の二次転写装置。
【００３４】
上記発明では、圧着カムの外側に減圧カム等の高速減圧機構を配置する場合に比べて、二次転写ローラの軸方向（奥行き方向）における二次転写装置のサイズが小型化される。
【００３５】
［１２］前記二次転写ローラの軸方向の両端に分かれた２箇所に前記減圧アームを設けると共に前記減圧アーム同士を連結部材で接続し、
前記減圧カムを、前記二次転写ローラの軸方向の中心部に配置し、
前記減圧カムに前記連結部材が当接して前記減圧アームが揺動する
ことを特徴とする［１１］に記載の二次転写装置。
【００３６】
上記発明では、両端の減圧アームを同期させて減圧動作を行うことができる。
【００３７】
［１３］前記二次転写ローラの軸方向の両端に分かれた２箇所に前記減圧アームを設けると共に前記減圧アーム同士を連結部材で接続し、
前記圧着カムの内側近傍にそれぞれ前記減圧カムを配置し、
各減圧カムに前記連結部材が当接して前記減圧アームが揺動する
ことを特徴とする［１１］に記載の二次転写装置。
【００３８】
上記発明では、連結部材の撓みの影響を低減することができる。
【００３９】
［１４］前記二次転写ローラの軸方向の両端に分かれて設けられた２つの前記圧着カムの内側に、前記第２駆動部および前記減圧カムの角度位置を検出する位置検出手段を配置した
ことを特徴とする［１３］に記載の二次転写装置。
【００４０】
上記発明では、二次転写ローラの軸方向における二次転写装置のサイズを小さくすることができる。
【００４１】
［１５］前記圧着カムの回転軸はロック機構を解除すると軸方向への移動が可能となり、該移動により前記圧着カムと前記圧着アーム側の突き当て部材との係合が解除される、
ことを特徴とする［１］乃至［１４］のいずれか１つに記載の二次転写装置。
【００４２】
上記発明では、たとえば、何らかのトラブルで二次転写装置が圧着状態で停止した場合に、ロック機構を解除して回転軸を軸方向にスライド移動させることで、圧着状態を解除して、ジャム処理等を行うことができる。
【発明の効果】
【００４３】
本発明に係る二次転写装置によれば、用紙の先後端が転写ニップを通る際のニップ圧を一時的に減圧する機能を備えつつ装置の小型化を図ることができる。
【図面の簡単な説明】
【００４４】
【図１】本発明の実施の形態に係る二次転写装置を含む画像形成装置の機械的概略構成を示す図である。
【図２】中間転写ベルトとの間にニップを形成した二次転写装置を模式的に示す図である。
【図３】二次転写ユニットを示す斜視図である。
【図４】二次転写装置を示す右側面図（用紙の搬送方向上流側から見た図）である。
【図５】解除時の二次転写装置の主要部を模式的に示す図である。
【図６】圧着時の二次転写装置の主要部を模式的に示す図である。
【図７】減圧時の二次転写装置の主要部を模式的に示す図である。
【図８】本発明の実施の形態に係る二次転写装置の各部の配置関係を説明する図である。
【図９】減圧カムを前奥方向の中心に１つのみ配置した構成の二次転写装置を示す右側面図である。
【図１０】通常状態とロック機構を解除して回転軸を移動させた状態を対比して示す図である。
【発明を実施するための形態】
【００４５】
以下、図面に基づき本発明の実施の形態を説明する。
【００４６】
図１は、本発明の実施の形態に係る二次転写装置３０を含む画像形成装置１０の概略構成を示している。画像形成装置１０は、原稿を光学的に読み取って得た画像を記録紙等の記録材上に画像形成して出力するコピー機能、外部から入力された印刷データに基づいてラスタライズした画像を記録紙上に画像形成して出力する印刷機能などを備えた、所謂、複合機である。記録材は記録紙に限定されず、フィルムや布なでもよい。以後、記録材を記録紙として説明する。
【００４７】
画像形成装置１０は、原稿を光学的に読み取るスキャナ部１１、ユーザ操作の受け付けおよび各種情報を表示する操作パネル１２、装置全体の動作の制御や画像処理を行う制御回路部１３、記録材上に未定着のトナー像を形成する画像形成部２０、未定着のトナー像を記録紙に定着させる定着装置１５、画像形成に使用される記録紙を多数枚収容可能な給紙トレイ１４、給紙トレイ１４から繰り出された用紙を搬送する搬送部１６などを備えて構成される。
【００４８】
画像形成部２０は、電子写真方式によりトナー像を形成する。画像形成部２０は、複数のローラに巻き掛け渡された無端環状で所定幅の中間転写ベルト２１と、中間転写ベルト２１の外周面に、それぞれ一の色成分のトナー像を形成(一次転写)するイエロ（Ｙ）、マゼンタ（Ｍ）、シアン（Ｃ）、ブラック（Ｋ）、の色別の像形成ユニット２２Ｙ、２２Ｍ、２２Ｃ、２２Ｋと、中間転写ベルトの外周面に形成されたトナー像を記録紙に二次転写する二次転写装置３０を有する。なお、色別の像形成ユニット２２Ｙ、２２Ｍ、２２Ｃ、２２Ｋを総称して像形成ユニット２２とする。
【００４９】
像形成ユニット２２Ｙ、２２Ｍ、２２Ｃ、２２Ｋは、使用されるトナーの色は異なるが互いに構造は同一である。像形成ユニット２２Ｙ、２２Ｍ、２２Ｃ、２２Ｋは、表面に静電潜像が形成される静電潜像担持体としての円筒状の感光体ドラム２４を有し、その周囲に帯電装置、現像装置、転写装置、感光体クリーニング装置などを配置して備える。またレーザ素子であるレーザーダイオード（ＬＤ）、ポリゴンミラー、各種レンズおよびミラー等で構成されたプリントヘッド２６を備えている。
【００５０】
各像形成ユニット２２Ｙ、２２Ｍ、２２Ｃ、２２Ｋにおいて、感光体ドラム２４は図示省略の駆動部に駆動されて一定方向に回転し、帯電装置は感光体ドラム２４を一様に帯電させ、プリントヘッド２６は対応する色の画像データに基づく駆動信号に応じてオン／オフ制御されたレーザービームで感光体ドラム２４を走査して感光体ドラム２４の表面上に静電潜像を形成する。
【００５１】
現像装置は、感光体ドラム２４の表面上の静電潜像をトナーで現像して顕像化する現像工程を行う。感光体ドラム２４の表面上に形成されたトナー像は、中間転写ベルト２１と接触する箇所で中間転写ベルト２１に転写(一次転写)される。感光体クリーニング装置は、転写後に感光体ドラム２４の表面上に残留するトナーをブレード等で擦って除去し回収する。
【００５２】
複数のローラに巻き掛けされた中間転写ベルト２１は、図示省略の駆動部に駆動されて図中の矢印Ａ方向に周回する。周回の過程で、各色の像形成ユニット２２Ｙ、２２Ｍ、２２Ｃ、２２Ｋの感光体ドラム２４上に形成されたトナー像が中間転写ベルト２１上に順次転写されて重ね合わされることでフルカラーのカラー画像(トナー像)が中間転写ベルト２１上に合成される。このトナー像は、二次転写位置Ｄに配置された二次転写装置３０によって、中間転写ベルト２１から記録紙上に転写(二次転写)される。また、二次転写後に中間転写ベルト２１に残ったトナーは二次転写位置Ｄの下流に設けられたクリーニング装置２７によって中間転写ベルト２１上から除去される。
【００５３】
定着装置１５は、記録紙の搬送路の途中であって二次転写位置Ｄの下流に設けられており、二次転写位置Ｄで記録紙の表面上に転写されたトナー像を該記録紙に加圧、加熱して定着させる。
【００５４】
搬送部１６は、給紙トレイ１４から繰り出した記録紙を、二次転写位置Ｄおよび定着装置１５を通過させて排紙トレイ１７まで搬送する機能を果たす。搬送部１６は、搬送経路を形成する搬送ローラやガイドのほか、搬送ローラを駆動するモータなどで構成される。なお、図示省略するが、搬送部１６は、定着装置１５を出た記録紙を、表裏を反転させて、再び、二次転写位置Ｄの上流の搬送経路に送り出す両面印刷用の用紙反転機構を備えている。
【００５５】
制御回路部１３は、ＣＰＵ（Central Processing Unit）、ＲＯＭ（Read Only Memory）、ＲＡＭ（Random Access Memory）、などを主要部として構成される。ＣＰＵがＲＯＭに格納されたプログラムに従って処理を実行することで画像形成装置１０としての各機能が実現される。制御回路部１３は、搬送部１６や画像形成部２０、二次転写装置３０等の動作を制御する。
【００５６】
図２は、中間転写ベルトとの間に転写ニップを形成した二次転写装置３０を模式的に示す図である。二次転写装置３０は、中間転写ベルト２１の幅方向（紙面に直交する方向）を軸方向とする二次転写ローラ４１を二次転写位置Ｄにおいて中間転写ベルト２１の外周面に押し当てることで、中間転写ベルト２１が巻き掛けられた複数のローラの内の該二次転写ローラ４１と対向する箇所に配置されたローラ（対向ローラ２８）との間に中間転写ベルト２１を挟み込んで転写ニップを形成する。
【００５７】
以後、中間転写ベルト２１の幅方向（二次転写ローラ４１の軸方向）を「前奥方向」とする。また、前奥方向の端部側となる相対位置を「外側」、前奥方向の中央寄りとなる相対位置を「内側」と呼ぶものとする。
【００５８】
二次転写ローラ４１は、これを回動自在に支持する二次転写ユニット４０に組み込まれている。図３は、二次転写ユニット４０を示す斜視図である。図４は、二次転写装置３０の右側面図（用紙の搬送方向上流側から見た図）である。
【００５９】
二次転写装置３０は、二次転写ユニット４０と、二次転写ローラ４１が中間転写ベルト２１に圧着して転写ニップを形成する押圧位置(圧着状態)と二次転写ローラ４１が中間転写ベルト２１から離れた離隔位置(解除状態)とに変位するように二次転写ユニット４０を変位させる圧着解除部(圧着解除機構)５０と、圧着解除部５０を駆動する第１駆動部５２(図４参照)と、押圧位置にされた二次転写ローラ４１が中間転写ベルト２１を対向ローラ２８との間に挟んで押圧するニップ圧を、用紙の先端および後端が二次転写箇所Ｄ（二次転写ローラ４１と中間転写ベルト２１の間）を通る際に一時的に減圧する高速減圧部（高速減圧機構）７０と、高速減圧部７０を駆動する第２駆動部７２(図４参照)とを有する。圧着解除部５０、高速減圧部７０は、二次転写ユニット４０と別体に構成されている。
【００６０】
二次転写装置３０は、前奥方向に長い略長方形平板状のフレーム部材３４を有する(図４参照)。二次転写ユニット４０、圧着解除部５０、高速減圧部７０、第１駆動部５２、第２駆動部７２はフレーム部材３４に取り付けられている。
【００６１】
図３に示すように、二次転写ユニット４０は、左右の側板等で構成された枠部材４２を有し、この枠部材４２に二次転写ローラ４１を回動自在に軸支している。枠部材４２には、用紙を転写ニップへ案内するガイド板４３、二次転写後の用紙を中間転写ベルト２１から分離する分離ローラ４４等が取り付けられている。分離ローラ４４は、二次転写ローラ４１の軸４１ａから用紙搬送方向下流側へ所定長離れた箇所に設けてある。
【００６２】
二次転写ユニット４０は、フレーム部材３４の前奥方向両端近傍から立設された互いに向き合う一対の保持板３４ａに分離ローラ４４の軸４４aの両端が軸支されており、該軸４４ａが回転中心となって揺動する（図４参照）。
【００６３】
圧着解除部５０は、二次転写ローラ４１の軸４１ａと同方向であって第１駆動部５２によって駆動される回転軸５３に支持されて回転する圧着カム５４と、圧着カム５４に当接して揺動することで二次転写ユニット４０を押圧位置（圧着状態）と離隔位置（解除状態）に変位させる圧着アーム５５を有する。
【００６４】
圧着アーム５５の先端には、圧着カム５４に当接される当接ローラ５５ａが軸支されている。圧着アーム５５の他端は、圧着アーム５５の回転支点５５ｂとなっており、フレーム部材３４に立設された支持板５１に支持軸５１ｂを介して軸支されている（図４参照）。圧着アーム５５は、先端の当接ローラ５５ａが用紙搬送方向の上流側となり、後端の回転支点５５ｂが用紙搬送方向の下流側となる向きにされており、回転支点５５ｂの軸方向は二次転写ローラ４１の軸４１ａと同方向になっている。圧着アーム５５の先端と後端の間の所定箇所には、上向きに螺旋状に延びるバネ５６が取り付けてある。
【００６５】
高速減圧部７０は、二次転写ローラ４１の軸４１ａと同方向であって第２駆動部７２によって駆動される回転軸７３と、この回転軸７３に取り付けられて回転する減圧カム７４と、減圧カム７４に当接して揺動することで押圧位置にある二次転写ユニット４０をニップ圧が弱まる方向へ変位させる減圧アーム７５を有する。
【００６６】
減圧アーム７５の先端には回転体（後述の連結軸）７６が軸支してあり、減圧カム７４にはこの回転体７６が当接する。減圧アーム７５の後端は支持軸５１ｂに軸支されている。この箇所は減圧アーム７５の回転支点７５ａとなっている。減圧アーム７５は、支持軸５１ｂの軸方向においても圧着アーム５５と同一位置に軸支されている。
【００６７】
減圧アーム７５は先端近傍の所定箇所に上方へ延びる腕部７５ｃを有し、該腕部７５ｃの上端に下方から二次転写ユニット４０に当接する押圧ローラ７５ｂを軸支している。圧着アーム５５に設けたバネ５６の上端は下方から減圧アーム７５に当接する。
【００６８】
圧着アーム５５は、当接ローラ５５ａの箇所が圧着カム５４からの力を受ける力点であり、支持軸５１ｂに軸支された箇所が回転支点５５ｂであり、バネ５６の取り付けられた箇所が、該バネ５６を介して減圧アーム７５に上向きの力を加える作用点となっている。減圧アーム７５は、回転体７６の軸支された箇所が該回転体を介して減圧カム７４からの力を受ける力点であり、支持軸５１ｂに軸支された箇所が回転支点７５ａであり、バネ５６の先端の当接する箇所が減圧時の作用点となっている。
【００６９】
圧着アーム５５は、回転支点５５ｂを中心に揺動し、転写ニップを形成するとき、バネ５６と減圧アーム７５をこの順に介して二次転写ユニット４０を下方から上方へ押圧する。これに応じて二次転写ユニット４０が軸４４aを中心に揺動し、二次転写ローラ４１が対向ローラ２８に押圧される。減圧は、減圧アーム７５でバネ５６を圧着アーム５５側へ押し戻して行われる。
【００７０】
図４に示すように、圧着カム５４、圧着アーム５５および減圧アーム７５は、二次転写装置３０の前奥方向の両端近傍にそれぞれ設けてある。前奥方向の両端に分けて配置した２つの圧着カム５４は同位相にされており、両端の圧着アーム５５はバネ５６および減圧アーム７５を介して二次転写ユニット４０の底面を、前奥方向の両端部において同時に同じ様に押圧し、また押圧を解除する。
【００７１】
前述の回転体７６は、前奥方向の両端に設けられた減圧アーム７５同士を連結する円柱状の連結軸７６であり、２つの減圧アーム７５を連動させる。減圧カム７４は、前奥方向の両端に分けて設けられた２つの減圧アーム７５の内側近傍にそれぞれ設けてある。各減圧カム７４に連結軸７６が当接することで、減圧アーム７５が回転支点７５ａを中心に揺動する。連結軸７６を自転(回転)自在な回転体としたので、減圧カム７４との接触抵抗が少なく、減圧カム７４の摩耗が軽減される。
【００７２】
減圧カム７４の回転軸７３を回転させる第２駆動部７２(モータ等)および減圧カム７４の角度位置を検出する位置検知センサ７７は、前奥方向の両端に分けて配置された２つの減圧カム７４の内側に配置されている。
【００７３】
図５は、二次転写装置３０の各部の配置関係を説明する図である。圧着アーム５５の支点(回転支点５５ｂ)と減圧アーム７５の支点（回転支点７５ａ）は同軸かつ同一位置にある。圧着アーム５５は減圧アーム７５より長くされている。圧着アーム５５の回転支点５５ｂを中心とし、該回転支点５５ｂから圧着カム５４の軸中心までを半径とする円内に、減圧カム７４は配置されている。すなわち、図５の破線で示す円８１の内側に、減圧カム７４は配置されている。
【００７４】
また、二次転写ユニット４０の回転中心(分離ローラ４４の軸４４ａ)と圧着カム５４の間に、減圧カム７４は配置されている。
【００７５】
二次転写ユニット４０の回転中心(軸４４ａ)と二次転写ローラ４１の軸と間の距離Ｌ１より、二次転写ユニット４０の回転中心(軸４４ａ)と二次転写ユニット４０が圧着解除部５０から押圧力を受ける箇所（減圧アーム７５に設けられた押圧ローラ７５ｂが二次転写ユニット４０の底面に当接する箇所）との距離Ｌ２は長くされている。
【００７６】
次に、二次転写装置３０の動作について説明する。
【００７７】
図６は、二次転写ユニット４０が離隔位置にある状態(解除状態)を示している。図７は、二次転写ユニット４０が押圧位置にある状態(圧着状態)を示している。図９は、高速減圧部７０が動作してニップ圧を減圧した状態（減圧状態）を示している。
【００７８】
二次転写装置３０は、第１駆動部５２で圧着解除部５０の回転軸５３を回転させると、回転軸５３に取り付けられた圧着カム５４が回転し、圧着アーム５５は、圧着カム５４に先端の当接ローラ５５ａが当接することで圧着カム５４の角度位置に応じて回転支点５５ｂを中心に揺動する。
【００７９】
二次転写ユニット４０を離隔位置(解除状態)から押圧位置（圧着状態）へ変位させるとき、圧着アーム５５は、図６に示す位置から反時計回りに所定角度回転し、バネ５６および減圧アーム７５をこの順に介して、二次転写ユニット４０の底部を対向ローラ２８に向けて押圧する。図７は、二次転写ユニット４０が押圧位置へ変位し、かつ高速減圧部７０による減圧が作用していない圧着状態を示している。
【００８０】
図７に示す圧着状態では、減圧カム７４は、連結軸(回転体)７６に当接しない角度位置になっている。従って、圧着状態では減圧アーム７５は連結軸７６を介して減圧カム７４から力を受けず、圧着解除部５０の圧着動作に従って変位する。
【００８１】
図７に示す位置に圧着解除部５０の圧着カム５４を保持した状態で、高速減圧部７０の減圧カム７４を所定の角度位置に回転させると、図８に示すように、減圧カム７４が連結軸７６に当接して連結軸７６を押し下げ、これに伴って減圧アーム７５は、回転支点７５ａを中心に時計回り方向へ僅かに回転し、バネ５６を上方から圧着アーム５５に向けて押し戻す。
【００８２】
すなわち、減圧アーム７５は、圧着アーム５５がバネ５６を介して二次転写ユニット４０へ及ぼす押圧力を遮ることで、ニップ圧を減圧する。このとき、対向ローラ２８と二次転写ローラ４１との軸間距離は、非接触時の対向ローラ２８の半径と二次転写ローラ４１の半径の合計よりある程度短くなっており、ニップ圧は、二次転写ローラ４１や対向ローラ２８の外周部材が持つ弾性によって生じる。
【００８３】
図７、図８に示すように、圧着解除部５０によって二次転写ユニット４０が押圧位置にされた状態（圧着状態）では、減圧カム７４が二次転写ユニット４０に当接することなく減圧位置(図８の位置)と減圧しない位置(図７の位置)とに回動し得る可動域が確保されている。一方、図６に示すように、圧着解除部５０によって二次転写ローラが離隔位置にされた状態(解除状態)では、減圧カム７４が二次転写ユニット４０に当接しないのは減圧カム７４が特定の角度位置にあるときのみであり、減圧カム７４の可動域は確保されない。
【００８４】
解除状態では、二次転写ユニット４０が、下方へ下がって減圧カム７４に接近するので、この状態で減圧カム７４の可動域を確保しようとすると、二次転写ユニット４０と減圧カム７４を離して配置したり、減圧カム７４に対応する箇所の二次転写ユニット４０に接触回避のための切欠きを設けたりする必要が生じ、装置の大型化や設計の困難化を招く。
【００８５】
一方、解除状態では、そもそも減圧する／減圧しないを切り替える要請もなく減圧カム７４を回転させる必要はない。そこで、圧着状態では、減圧する／減圧しないを切り替えることができるように減圧カム７４の可動域を確保し、解除状態では、減圧カム７４の可動域を確保せず、特定の角度位置（例えばホームポジション）でのみ二次転写ユニット４０に当接しないように構成して、装置の小型化を図っている。
【００８６】
本発明に係る二次転写装置３０は、圧着解除部５０とは別の機構である高速減圧部７０によって減圧状態を一時的に形成するので、減圧する／減圧しない、の切り替えを、高速にかつ的確なタイミングで行うことができる。減圧を、圧着状態から圧着アーム５５を離隔位置に戻すように変位させて行う場合には、バネ５６が伸びきる程度まで圧着アーム５５を大きく変位させる必要がある。これに対し、本発明の二次転写装置３０は、減圧アーム７５でバネ５６を圧着アーム５５側へ押し戻すことで減圧状態を作るので、圧着アーム５５を圧着状態の時の位置に維持したまま、減圧動作を行うことができ、一時的な減圧動作を、減圧アーム７５の少ない動作ストロークで高速かつ円滑に行うことができる。
【００８７】
制御回路部１３は、用紙の先端および後端が二次転写位置Ｄを通る際に圧着が一時的に減圧されるように高速減圧部７０の第２駆動部７２を制御する。具体的には、二次転写位置Ｄの用紙搬送方向のやや上流に用紙の先端・後端を検出するセンサを設けておき、このセンサが用紙の先後端を検出したタイミングを基準にして、該用紙の先端および後端が二次転写位置Ｄを通る時刻の前後所定期間だけ減圧状態となるように減圧カム７４の角度位置を第２駆動部７２によって制御する。
【００８８】
本実施の形態に係る二次転写装置３０の構成の特徴とその作用効果について説明する。二次転写装置３０は、図５に示したように、圧着アーム５５の支点（回転支点５５ｂ）と圧着カム５４との間（圧着アーム５５の回転支点５５ｂを中心とし、該回転支点５５ｂから圧着カム５４の軸中心までを半径とする円内）に減圧カム７４を配置した点に特徴を有する。これにより、圧着解除部５０の配置スペース内に高速減圧部７０を収めることができ、高速減圧機構の追加によるスペース増を抑制することができる。
【００８９】
また、圧着アーム５５の支点（回転支点５５ｂ）と減圧アーム７５の支点（回転支点７５ａ）を同一位置（同軸で軸方向にも同一位置）としたので、圧着アーム５５の動作領域と減圧アーム７５の動作領域が重複して装置の小型化が図られる。
【００９０】
また、二次転写装置３０は、圧着解除部５０および高速減圧部７０を、二次転写ユニット４０の下方に設けた点に特徴を有する。これにより、二次転写装置３０に対して用紙搬送方向上流側にあるレジスト機構や用紙搬送方向下流側にある定着装置１５とスペース的に競合することなく圧着解除部５０および高速減圧部７０を空きスペースに配置することができ、画像形成部２０全体の小型化に貢献する。
【００９１】
さらに図４に示すように、二次転写装置３０は、圧着アーム５５、圧着カム５４を、前奥方向の両端に分かれた２箇所に設け、これらの内側に高速減圧部７０(特に減圧カム７４)を配置した点に特徴を有する。これにより、高速減圧部７０を圧着カム５４の外側に設ける場合に比べて、前奥方向における装置の小型化を図ることができる。
【００９２】
また、二次転写装置３０は、圧着アーム５５、圧着カム５４に対応させて、前奥方向の両端にそれぞれ減圧アーム７５を設けると共に減圧アーム同士を連結軸７６で接続し、減圧カム７４を両端の圧着カム５４の内側近傍にそれぞれ設けた点に特徴を有する。これにより、各減圧カム７４は、減圧アーム７５の近くで減圧のための力を連結軸７６に与えることができ、連結軸７６の撓みを低減することができる。
【００９３】
なお、図９に示すように、減圧カム７４を、前奥方向の両端に分けて設けられた圧着カム５４の内側であって、前奥方向の中心に１つのみ配置するように構成してもよい。図４のように前奥方向に分かれた２箇所に減圧カム７４を設ける場合、カムの形状や位相ズレ等により、両端の２つの減圧アーム７５による減圧動作に差が生じるおそれがある。一方、図９のように、前奥方向の中心の１箇所のみに減圧カム７４を設ける構成では、上記の差の影響を受けず、両端の減圧アーム７５を同期させて減圧動作を行うことができる。
【００９４】
また、二次転写装置３０は、図４に示すように、前奥方向の両端に分けた２つの圧着カム５４の内側に、第２駆動部７２や減圧カム７４の角度位置を検出する位置検知センサ７７を配置する点に特徴を有する。これにより、二次転写装置３０の前奥方向のサイズが小型化される。なお、図９に示すように減圧カム７４が１つの構成においても、前奥方向の両端に分かれた２つの圧着カム５４の内側に、第２駆動部７２や位置検知センサ７７を配置することで二次転写装置３０の前奥方向のサイズが小型化される。
【００９５】
また、二次転写装置３０は、二次転写ユニット４０の回転中心(分離ローラ４４の軸４４ａ)と圧着カム５４の間に、減圧カム７４を配置した点に特徴を有する。これにより。圧着解除部５０が二次転写ユニット４０を変位させるために必要となるスペース内（二次転写ユニット４０の回転中心と圧着カムの間）に減圧カム７４を収めることができ、高速減圧部７０を付加することによる占有スペースの増大が抑えられる。
【００９６】
また、二次転写ローラ４１を二次転写ユニット４０に組み込んでユニット化したので、小型化、メンテナンス性の向上、高速減圧部７０の交換性などが向上する。また、圧着解除部５０や高速減圧部７０を二次転写ユニット４０と別体にしたので、圧着解除部５０や高速減圧部７０に係る部材の一部を二次転写ユニット４０に組み込む場合に比べて、二次転写ユニット４０の複雑化を回避でき、全体として二次転写装置３０をシンプルに構成することができる。
【００９７】
また、二次転写装置３０は、分離ローラ４４の軸４４ａが二次転写ユニット４０の回転中心を兼ねる点に特徴を有する。これにより、二次転写ユニットの揺動・変位に係らず、分離ローラ４４の位置が一定となり、分離ローラ４４からその下流側の搬送路への用紙の受け渡しが安定する。
【００９８】
また、二次転写装置３０は、二次転写ユニット４０の回転中心(分離ローラ４４の軸４４ａ)と二次転写ローラ４１の軸との距離Ｌ１（図５参照）より、二次転写ユニット４０の回転中心と二次転写ユニット４０が圧着解除部５０から力を受ける箇所（押圧ローラ７５ｂの当接箇所）との距離Ｌ２が長い点に特徴を有する。これにより、圧着解除部５０による押圧力はレバー比で増大されて二次転写ユニット４０に作用し、圧着解除部５０や高速減圧部７０に必要なトルクが小さくなってモータ等の小型化、低コスト化に貢献する。特に、圧着解除部５０がバネ５６を介して二次転写ユニット４０に押圧力を与える構成では、レバー比に応じて反発力の弱いバネ５６を使用できる。反発力の弱いバネ５６を使用すれば、高速減圧部７０が減圧動作においてバネ５６を押し戻すために必要な力量も小さくなり、第２駆動部７２の小型化、低コスト化を図ることができる。
【００９９】
このほか、二次転写装置３０では、圧着カム５４の回転軸５３は図示省略のロック機構を解除すると軸方向への移動が可能となり、該移動により圧着カム５４と圧着アーム５５側の当接ローラ５５ａが位置ズレしてこれらの係合が解除されるようになっている。図１０（ａ）はロック機構によりロックされた通常使用状態を、図１０（ｂ）はロック機構を解除して回転軸５３を軸方向に移動させて上記の係合が解除された状態を示している。ここでは、圧着カム５４と圧着アーム５５の当接ローラ５５ａとが位置ズレしてこれらの係合が解除されることによって圧着アーム５５（および減圧アーム７５）は図６に示すような解除状態になる。
【０１００】
たとえば、何らかのトラブルで圧着状態もしくは減圧状態で二次転写装置３０が停止したような場合に、ロック機構を手動で解除して回転軸５３を軸方向に少し移動させれば、圧着状態や減圧状態を解除することができ、詰まった用紙の取り除きなどを円滑に行うことができる。
【０１０１】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０２】
二次転写ローラ４１は、二次転写ユニット４０に組み込まれなくてもよい。たとえば、圧着解除部５０が二次転写ローラ４１の軸を押圧して圧着状態を形成するようにしてもよい。
【０１０３】
実施の形態では、圧着時は圧着アーム５５がバネ５６および減圧アーム７５を介して二次転写ユニット４０を押圧し、減圧時は減圧アーム７５でバネ５６を押し戻す構成としたが、たとえば、圧着アーム５５はバネ５６を介して二次転写ユニット４０を押圧し、減圧アーム７５は二次転写ユニット４０の両端等に設けたフックに係合して二次転写ユニット４０を離隔位置側へ少し変位させて減圧するといった構成でもよい。バネ５６の形状は実施の形態に例示したものに限定されず、板バネ等であってもよく、必要な弾性を備える弾性体でよい。
【０１０４】
実施の形態では、圧着カム５４、圧着アーム５５、減圧カム７４、減圧アーム７５等を模式的に示してあり、これらの形状等は実施の形態に示したものに限定されない。たとえば、減圧アーム７５の先端に下方へ延びる腕を設け、該腕の下端に連結軸７６を接続する構成とすれば、減圧カム７４の位置を下方に下げて小型化を図ることができる。
【符号の説明】
【０１０５】
１０…画像形成装置
１１…スキャナ部
１２…操作パネル
１３…制御回路部
１４…給紙トレイ
１５…定着装置
１６…搬送部
２０…画像形成部
２１…中間転写ベルト
２２、２２Ｃ、２２Ｍ、２２Ｙ、２２Ｋ…像形成ユニット
２４…感光体ドラム
２６…プリントヘッド
２７…クリーニング装置
２８…対向ローラ
３０…二次転写装置
３４…フレーム部材
３４ａ…保持板
４０…二次転写ユニット
４１…二次転写ローラ
４１ａ…二次転写ローラの軸
４２…枠部材
４３…ガイド板
４４…分離ローラ
４４ａ…軸
５０…圧着解除部(圧着解除機構)
５１…支持板
５１ｂ…支持軸
５２…第１駆動部
５３…回転軸
５４…圧着カム
５５…圧着アーム
５５ａ…当接ローラ
５５ｂ…回転支点
５６…バネ
７０…高速減圧部（高速減圧機構）
７２…第２駆動部
７３…回転軸
７４…減圧カム
７５…減圧アーム
７５ａ…回転支点
７５ｂ…押圧ローラ
７５ｃ…腕部
７６…連結軸(回転体)
７７…位置検知センサ
Ｄ…二次転写位置
Ａ…中間転写ベルトの周回方向
【図１】
2020194025.tif 000003
【図２】
2020194025.tif 000004
【図３】
2020194025.tif 000005
【図４】
2020194025.tif 000006
【図５】
2020194025.tif 000007
【図６】
2020194025.tif 000008
【図７】
2020194025.tif 000009
【図８】
2020194025.tif 000010
【図９】
2020194025.tif 000011
【図１０】
2020194025.tif 000012